(57)【要約】【課題】  従来の情報端末装置ではクレードルを使用する形態を想定しているものが多い。本体を壁面固定して外部配線接続を壁内で行なおうとする場合には、情報端末装置で覆われる壁面以外の部分に外部配線を壁内に取り込む為の配線取り込み口を設ける必要がある。【解決手段】  コネクタ部２は、片端もしくは両端に回転支持部３を設け、回転支持部３を軸に回転させることにより、壁面固定時に壁内配線を最適な形態で行う事ができるようにしたものである。【選択図】  図２
2005084705.tif 000002
【特許請求の範囲】
【請求項１】
本体側面に設けた外部配線との接続を行なう外部配線接続手段と、前記外部配線接続手段の接続線引き出し方向を可変させる接続方向可変手段とを備え、前記外部配線接続手段を前記接続方向可変手段により接続線の引き出し方向を可変させることにより、本体の設置形態及び外部配線の位置関係に応じて外部接続線との接続を最適にすることを特徴とした情報端末装置。
【請求項２】
外部配線接続手段を所定の角度で固定する回転角度固定手段を設け、前記外部配線接続手段と外部配線の位置関係に応じて外部配線接続手段を所定の角度で固定する機能を有した接続方向可変手段を備えた請求項１記載の情報端末装置。
【請求項３】
本体に設けた外部配線との接続を行なう外部配線接続手段と、前記外部配線接続手段と本体との配線接続を行なう複数の内部配線接続手段と、前記外部配線接続手段を着脱させる着脱手段とを備え、前記外部配線接続手段を前記着脱手段により着脱させ、内部配線接続手段を選択することにより、本体の設置形態及び外部配線の位置関係に関わらず外部接続線との接続を最適にすることを特徴とした情報端末装置。
【請求項４】
本体に設けた外部配線との接続を行なう外部配線接続手段と、前記外部配線接続手段を着脱させる着脱手段と、前記外部配線接続手段と本体との配線接続を行なう内部配線接続手段を直交して二つ以上備え、前記外部配線接続手段を前記着脱手段により着脱させることにより、直交した内部配線接続手段のいずれかを選択することにより、本体の設置形態及び外部配線の位置関係に応じて外部接続線との接続を最適にすることを特徴とした情報端末装置。
【発明の詳細な説明】
【技術分野】
【０００１】
本発明は、外部配線接続手段を備え、外部接続可能な情報端末装置に関するものである。
【背景技術】
【０００２】
従来より情報端末装置に通信手段を付加して外部に接続して情報を通知する情報端末装置が開発されている。例えば、外部配線にクレードルを使用して外部配線接続手段を実現するものである（特許文献１参照）。
【０００３】
図６は、特許文献１に記載された従来の情報端末装置を壁面に設置した場合の斜視図を示すものである。図６に示すように、本体１と外部配線８と、配線取り込み口９から構成されている。
【０００４】
上記のように情報端末装置にはクレードルを使用する形態と壁面に設置する形態とがある。
【特許文献１】特開２００３−１１０６７７号公報
【発明の開示】
【発明が解決しようとする課題】
【０００５】
しかしながら、前記従来の情報端末装置では、情報端末装置設置時の外部配線接続部が本体側面に配置されており、情報端末装置と外部配線引き出し方向との位置関係に制約がある。これではクレードルを使用する形態に対応できても壁面に設置する形態には困難がある。すなわち、本体を壁面固定して外部配線接続を壁内で行なおうとする場合には、図６に示すように、情報端末装置で覆われる壁面以外の部分に外部配線を壁内に取り込む為の配線取り込み口を設ける必要がある。
【０００６】
本発明は、前記従来の課題を解決するもので、情報端末装置で覆われる壁面以外の部分に配線取り込み口を設けずに壁内配線する事を考慮した情報端末装置を提供することを目的としている。
【課題を解決するための手段】
【０００７】
前記従来の課題を解決するために、本発明の情報端末装置は、本体側面に設けた外部配線との接続を行なう外部配線接続手段と、前記外部配線接続手段の接続線引き出し方向を可変させる接続方向可変手段とを備え、前記外部配線接続手段を前記接続方向可変手段により接続線引き出し方向を可変させることにより、本体の設置形態及び外部配線の位置関係に関わらず外部接続線との接続自由度を大きくしたものである。
【０００８】
これによって、情報端末装置を壁面固定した場合に情報端末装置で覆われる壁面以外の部分に配線取り込み口を設けずに壁内配線を可能にすることができる。もちろんクレードルを使用する形態にも無理なく内応できる。
【０００９】
また本発明の情報端末装置は、外部配線接続手段を所定の角度固定する機能を有した接続方向可変手段を備える。これによって、壁面固定時にも、机上設置時にも所定の角度を持たせる事が可能となる。
【発明の効果】
【００１０】
本発明の情報端末装置は、壁面固定時に情報端末装置で覆われる壁面以外の部分に配線取り込み口を設けずに壁内配線を行う事ができる。もちろんクレードルを使用する形態にも無理なく内応できる。
【発明を実施するための最良の形態】
【００１１】
第１の発明は、本体側面に設けた外部配線との接続を行なう外部配線接続手段と、前記外部配線接続手段の接続線引き出し方向を可変させる接続方向可変手段とを備え、前記外部配線接続手段を前記接続方向可変手段により接続線引き出し方向を可変させることにより、本体の設置形態及び外部配線の位置関係に応じて情報端末装置で覆われる壁面以外の部分に配線取り込み口を設けずに外部接続線との接続を最適にすることができる。
【００１２】
第２の発明は、外部配線接続手段を所定の角度で固定する回転角度固定手段を設け、前記外部配線接続手段と外部配線の位置関係に応じて外部配線接続手段を所定の角度で固定する機能を有することにより、本体の設置形態及び外部配線の位置関係に応じて情報端末装置で覆われる壁面以外の部分に配線取り込み口を設けずに外部接続線との接続を所定の角度で行なうことができる。
【００１３】
第３の発明は、本体に設けた外部配線との接続を行なう外部配線接続手段と、前記外部配線接続手段と本体との配線接続を行なう複数の内部配線接続手段と、前記外部配線接続手段を着脱させる着脱手段とを備え、前記外部配線接続手段を前記着脱手段により着脱させ、内部配線接続手段を選択することにより、本体の設置形態及び外部配線の位置関係に関わらず情報端末装置で覆われる壁面以外の部分に配線取り込み口を設けずに外部接続線との接続を最適の位置で行なうことができる。
【００１４】
第４の発明は、本体に設けた外部配線との接続を行なう外部配線接続手段と、前記外部配線接続手段を着脱させる着脱手段と、前記外部配線接続手段と本体との配線接続を行なう内部配線接続手段を直交して二つ以上備え、前記外部配線接続手段を前記着脱手段により着脱させることにより、直交した内部配線接続手段のいずれかを選択することにより、本体の設置形態及び外部配線の位置関係に応じて情報端末装置で覆われる壁面以外の部分に配線取り込み口を設けずに外部接続線との接続方向を選択することことができる。
【００１５】
以下、本発明の実施の形態について、図面を参照しながら説明する。なお、この実施の形態によって本発明が限定されるものではない。
【００１６】
（実施の形態１）
図１は本発明の第１の実施の形態における情報端末装置の裏側からの斜視図、図２は断面図を示すものである。図２において、コネクタ部２は、片端もしくは両端に回転支持部３を設け、回転支持部３を軸に回転する。回転角度を制限するストッパーを設けてもよい。
【００１７】
（実施の形態２）
図３は、本発明の第２の実施の形態における情報端末装置の断面図を示すものである。図３において、コネクタ部２は、片端もしくは両端に回転支持部３を設け、回転支持部３を軸に回転する。回転角度を制限するストッパーを設けてもよい。コネクタ部２の回転角度を所定の角度に固定するためにラッチ部４を設けている。
【００１８】
（実施の形態３）
図４は、本発明の第３の実施の形態における情報端末装置の斜視図を示すものである。図４において、コネクタ部２に着脱部６を設け、本体１に複数箇所に設けられた本体コネクタ部５のいずれかに着脱できる。
【００１９】
（実施の形態４）
図５は、本発明の第４の実施の形態における情報端末装置裏側からの断面図を示すものである。図５において、コネクタ部２に着脱部６を設け、本体１に直交する様に設けられた本体コネクタ部５のどちらかに着脱できる。
【産業上の利用可能性】
【００２０】
以上のように、本発明にかかる情報端末装置は、クレードルを使用する形態に加えて壁面固定時に壁内配線を最適な形態で行う事ができるものである。今後開発されるネットワーク家電やホームコントローラー等の用途にも適用できる。
【図面の簡単な説明】
【００２１】
【図１】本発明の実施の形態１の斜視図
【図２】本発明の実施の形態１の断面図
【図３】本発明の実施の形態２の断面図
【図４】本発明の実施の形態３の斜視図
【図５】本発明の実施の形態４の断面図
【図６】従来の情報端末装置の斜視図
【符号の説明】
【００２２】
１  本体（情報端末装置）
２  コネクタ部（外部配線接続手段）
３  回転支持部（接続方向可変手段）
４  ラッチ部（回転角度固定手段）
５  本体コネクタ部（内部配線接続手段）
６  着脱部（着脱手段）
７  壁
８  外部配線
９  配線取り込み口
【図１】
2005084705.tif 000003
【図２】
2005084705.tif 000004
【図３】
2005084705.tif 000005
【図４】
2005084705.tif 000006
【図５】
2005084705.tif 000007
【図６】
2005084705.tif 000008